(57)【要約】【課題】折畳式伸縮収納袋を提供する。【解決手段】  本考案は折畳式伸縮収納袋に関する構想であり、収納袋本体（１）を含み、収納袋本体（１）の材料は不織布、ポリウレタン、プラスチック薄膜等折り畳み性がある材料であり、収納本体（１）に収納袋の開閉ファスナー（３）を設置し、以下の特徴を有する。収納袋本体（１）に一個又は複数の延長・伸縮できる内接袋を接続しているため、伸び縮みできる折りたたみ式収納袋が十分のスペースを確保でき、脱気部付圧縮袋の省スペース機能がついているだけではなく、布団と衣服類の弾性を維持することも可能であり、綿類又は衣服類を変形させない効果もある。【選択図】図３
0003189530.tif 000002
【実用新案登録請求の範囲】
【請求項１】
折畳式伸縮収納袋であって、
折り畳み性がある材料を使用した収納袋本体（１）と、
前記収納袋本体（１）に設けられた収納袋開閉ファスナー（３）と、
を備え、
前記収納袋本体（１）と前記収納袋開閉ファスナー（３）との間に、１又は複数の伸縮できる内接袋を接続したことを特徴とする、折畳式伸縮収納袋。
【請求項２】
第一内接袋（６）を含み、
前記第一内接袋（６）の上下に第一内接袋の開閉ファスナー（５）を設置し、
前記第一内接袋（６）の収縮時、前記第一内接袋の開閉ファスナー（５）を閉めることにより、前記第一内接袋（６）を前記収納袋本体（１）に固定させることを特徴とする、請求項１に記載の折畳式伸縮収納袋。
【請求項３】
第二内接袋（７）を含み、
前記第二内接袋（７）は、前記第一内接袋（６）と前記収納袋開閉ファスナー（３）との間に位置し、
前記第二内接袋（７）の上下に第二内接袋の開閉ファスナー（４）を設置し、
前記第二内接袋（７）の収縮時、前記第二内接袋の開閉ファスナー（４）を閉めることにより、第二内接袋（７）を前記収納袋本体（１）に固定させることを特徴とする、請求項２に記載の折畳式伸縮収納袋。
【請求項４】
前記第一内接袋の開閉ファスナー（５）が非連続的に設置され、両端が第一内接袋（６）のヘリの両端にそれぞれ接続していることを特徴とする、請求項３に記載の折畳式伸縮収納袋。
【請求項５】
前記第二内接袋の開閉ファスナー（４）が非連続的に設置され、両端が第二内接袋（７）のヘリの両端にそれぞれ接続していることを特徴とする、請求項４に記載の折畳式伸縮収納袋。
【請求項６】
前記内接袋の材料は、折り畳み性がある材料であることを特徴とする、請求項１〜５のいずれかに記載の折畳式伸縮収納袋。
【請求項７】
前記内接袋の材料は、不織布、ポリウレタン又はプラスチックであることを特徴とする、請求項６に記載の折畳式伸縮収納袋。
【請求項８】
前記収納袋本体の材料は、不織布、ポリウレタン又はプラスチックであることを特徴とする、請求項１〜７のいずれかに記載の折畳式伸縮収納袋。
【請求項９】
前記収納袋本体（１）の外部の片側にハンドル（２）を一個を設置している、又は前記収納袋本体（１）の外部の両側にハンドル（２）をそれぞれ一個を設置していることを特徴とする、請求項１〜８のいずれかに記載の折畳式伸縮収納袋。
【考案の詳細な説明】
【技術分野】
【０００１】
本考案は、折畳式伸縮収納袋に関する。
【背景技術】
【０００２】
従来、一般的な脱気部付圧縮袋の主な用途は、布団や各種衣服類を収納することである。動作原理は、布団と衣服を収納し、内部の空気を掃除機や空気吸上げポンプで吸上げ、大気圧で膨れている布団等を圧縮することにより、外部空気と分離させることによって、スペース節約、湿気、かび、埃を防ぐ等の目的を果たしている。
【考案の概要】
【考案が解決しようとする課題】
【０００３】
しかし、脱気部付圧縮袋を使用する際、布団や衣服類（特に綿類）の元々の弾性に影響し、柔らかくなくなったり、保温効果を害し、一般の材質は破損しやすい等のデメリットもある。
【０００４】
そこで、本考案は、このような問題に鑑みてなされたものであり、その目的とするところは、伸縮する折畳式収納袋を設計し、脱気部付圧縮袋を使用する際、布団や衣服類（特に綿類）の元々の弾性を影響し、柔らかくなくなったり、保温効果を害する、しかも一般の材質は破損しやすい等のデメリットを効果的に解消することの可能な、新規かつ改良された折畳式伸縮収納袋を提供することにある。
【課題を解決するための手段】
【０００５】
上記課題を解決するため、本考案は下記の構成を採用した。
【０００６】
伸縮する新型折畳式収納袋は収納袋本体（１）を含み、上記収納袋本体（１）の材料は不織布、ポリウレタン、プラスチック薄膜等折り畳み性がある材料であり、収納本体（１）に収納袋の開閉ファスナー（３）を設置し、上記の収納袋本体（１）に一個又は複数の延長・収縮（伸縮）できる内接袋を接続するため、収納スペースを拡大することができる。
【０００７】
また、上記第一内接袋（６）を含むことができる。第一内接袋（６）の上下に第一内接袋の開閉ファスナー（５）を設置し、第一内接袋（６）収縮時、第一内接袋の開閉ファスナーを閉めることにより、第一内接袋（６）を収納袋本体（１）に固定させることができる。
【０００８】
また、上記第二内接袋（７）を含むことができる。上記第二内接袋（７）は第一内接袋（６）と収納袋開閉ファスナーの間に位置し、上記第二内接袋（７）の上下に第二内接袋の開閉ファスナー（４）を設置し、上記第二内接袋（７）収縮時、第二内接袋の開閉ファスナーを閉めることにより、第二内接袋（７）を収納袋本体（１）に固定させることができる。
【０００９】
また、第一内接袋の開閉ファスナー（５）が非連続的の設置であり、両端は第一内接袋（６）のヘリの両端にそれぞれ接続するようにしてもよい。
【００１０】
また、第二内接袋の開閉ファスナー（４）が非連続的の設置であり、両端が第二内接袋（７）のヘリの両端にそれぞれ接続するようにしてもよい。
【００１１】
また、上記内接袋の材料は折り畳み性がある材料とすることができる。
【００１２】
また、収納袋本体と内接袋の材料は不織布、ポリウレタン、プラスチック薄膜等折り畳み性がある材料とすることができる。
【００１３】
また、上記収納袋本体（１）の外部の片側にハンドル（２）一個を設置するようにしてもよく、又は納袋本体（１）の外部の両側にハンドル（２）それぞれ一個を設置することもできる。
【考案の効果】
【００１４】
本考案の折畳式伸縮収納袋と普通の収納袋とを比較すると、下記の効果がある。
（１）収納袋本体に一個又は複数の延長・収縮できる内接袋を接続するため、収納する物の大きさにより、サイズを調整し、外形の美観を維持することができる。また、折畳式収納袋は十分な収納スペースがあり、脱気部付圧縮袋の省スペース機能が付くだけではなく、布団と衣服類の弾性を維持することが可能であり、綿類又は衣服類を変形させない。使用者のニーズにより、脱気部付圧縮袋と同様に使用することも考えられる。
（２）開閉ファスナーの開閉原理を利用し、延長・収縮できる内接袋と結合し、収納袋の中の空気を機械工具類にて排除することではなく、より良い収納効果を果たすことができる。また、衣服類を害することなく、湿気と菌を防ぐ効果もあり、収納品の物理弾性を利用し、スペースを節約する効果を果たす。また、収納状況と収納内容物により、開閉ファスナーを開閉して、収納袋の高さを調整することができる。
（３）収納袋の外部に一個又は二個のハンドルを設置するため、提げることが簡単になり、運びやすくなる。
（４）収納袋を脱気部付圧縮袋と同時に使用し、脱気部付圧縮袋を保護する効果も果たすことができる。
【図面の簡単な説明】
【００１５】
【図１】折畳式伸縮収納袋を折り畳んた状態の説明図である。
【図２】図１の右側面図である。
【図３】折畳式伸縮収納袋を展開した状態の説明図である。
【考案を実施するための形態】
【００１６】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１７】
図１〜図３を参照しながら、本考案を一実施形態を説明する。
【００１８】
本実施形態に係る折畳式伸縮収納袋は、収納袋本体（１）を含み、収納袋本体（１）の材料は不織布、ポリウレタン、プラスチック薄膜等折り畳み性がある材料であり、収納本体（１）の上に収納袋の開閉ファスナー（３）を設置し、上記の収納袋本体（１）に一個又は複数の延長・収縮できる内接袋を接続するため、収納スペースを増加することができる。
【００１９】
内接袋は、第一伸縮内接袋（６）と第二伸縮内接袋（７）を含む。第一伸縮内接袋（６）の上下両端に第一伸縮内接袋の開閉ファスナー（５）を設置し、第一伸縮内接袋（６）収縮時、第一伸縮内接袋の開閉ファスナーを閉めることにより、第一伸縮内接袋（６）を収納袋本体（１）に固定させる。第二伸縮内接袋（７）は第一伸縮内接袋（６）と収納袋開閉ファスナー（３）の間に位置し、第二伸縮内接袋（７）の上下両端に第二内接袋の開閉ファスナー（４）を設置し、第二伸縮内接袋（７）収縮時、第二内接袋の開閉ファスナーを閉めることにより、第二伸縮内接袋（７）を収納袋本体（１）に固定させる。
【００２０】
内接袋の材料は不織布、ポリウレタン、プラスチック薄膜等の折り畳み性の良い材料である。
【００２１】
収納袋本体（１）の外部において、片側にハンドル（２）一個を設置している、又は収納袋本体（１）の外部の両側にハンドル（２）それぞれ一個を設置している。
【００２２】
本実施形態に係る折畳式伸縮収納袋と普通の収納袋とを比較すると、下記の効果がある。
（１）収納袋本体に一個又は複数の延長・収縮できる内接袋を接続するため、収納する物の大きさにより、サイズを調整し、外形の美観を維持することができる。したがって、折畳式収納袋は十分な収納スペースがあり、脱気部付圧縮袋の省スペース機能が付くだけではなく、布団と衣服類の弾性を維持することが可能であり、綿類又は衣服類を変形させない。
（２）開閉ファスナーの開閉原理を利用し、延長・収縮できる内接袋と結合し、収納袋の中の空気を機械工具類にて排除することではなく、より良い収納効果を果たすことができる。また、衣服類を損害させなく、湿気と菌を防ぐ効果もあり、収納品の物理弾性を利用し、スペースを節約する効果を果たす。また、収納状況と収納内容物により、開閉ファスナーを開閉して、収納袋の高さを調整することができる。
（３）収納袋の外部に一個又は二個のハンドルを設置するため、提げることが簡単になり、運びやすくなる。
【００２３】
以上、添付図面を参照しながら、本考案の好適な実施形態について説明したが、本考案はかかる例に限定されないことは言うまでもない。本考案の構想及び技術案を採用し、各種の改善を行う、また改善せず本考案の構想と技術案を直接他の用途に応用する場合など、すべて本考案の技術的範囲に属するものと了解される。
【産業上の利用可能性】
【００２４】
本考案は、折畳式伸縮収納袋に利用可能である。
【符号の説明】
【００２５】
１  収納袋本体
２  ハンドル
３  収納袋の開閉ファスナー
４  第二伸縮内接袋開閉ファスナー
５  第一伸縮内接袋開閉ファスナー
６  第一伸縮内接袋
７  第二伸縮内接袋
【図１】
0003189530.tif 000003
【図２】
0003189530.tif 000004
【図３】
0003189530.tif 000005
【手続補正書】
【提出日】平成26年1月14日(2014.1.14)
【手続補正１】
【補正対象書類名】実用新案登録請求の範囲
【補正対象項目名】全文
【補正方法】変更
【補正の内容】
【実用新案登録請求の範囲】
【請求項１】
折畳式伸縮収納袋であって、
折り畳み性がある材料を使用した収納袋本体（１）と、
前記収納袋本体（１）に設けられた収納袋開閉ファスナー（３）と、
を備え、
前記収納袋本体（１）と前記収納袋開閉ファスナー（３）との間に、１又は複数の伸縮できる内接袋を接続したことを特徴とする、折畳式伸縮収納袋。
【請求項２】
第一内接袋（６）を含み、
前記第一内接袋（６）の上下に第一内接袋の開閉ファスナー（５）を設置し、
前記第一内接袋（６）の収縮時、前記第一内接袋の開閉ファスナー（５）を閉めることにより、前記第一内接袋（６）を前記収納袋本体（１）に固定させることを特徴とする、請求項１に記載の折畳式伸縮収納袋。
【請求項３】
第二内接袋（７）を含み、
前記第二内接袋（７）は、前記第一内接袋（６）と前記収納袋開閉ファスナー（３）との間に位置し、
前記第二内接袋（７）の上下に第二内接袋の開閉ファスナー（４）を設置し、
前記第二内接袋（７）の収縮時、前記第二内接袋の開閉ファスナー（４）を閉めることにより、第二内接袋（７）を前記収納袋本体（１）に固定させることを特徴とする、請求項２に記載の折畳式伸縮収納袋。
【請求項４】
前記内接袋の材料は、折り畳み性がある材料であることを特徴とする、請求項１〜３のいずれかに記載の折畳式伸縮収納袋。
【請求項５】
前記内接袋の材料は、不織布、ポリウレタン又はプラスチックであることを特徴とする、請求項４に記載の折畳式伸縮収納袋。
【請求項６】
前記収納袋本体の材料は、不織布、ポリウレタン又はプラスチックであることを特徴とする、請求項１〜５のいずれかに記載の折畳式伸縮収納袋。
【請求項７】
前記収納袋本体（１）の外部の片側にハンドル（２）を一個を設置している、又は前記収納袋本体（１）の外部の両側にハンドル（２）をそれぞれ一個を設置していることを特徴とする、請求項１〜６のいずれかに記載の折畳式伸縮収納袋。